(57)【要約】【課題】座席の「空席」または「在席」情報を切り換える切換手段によって情報が切り換わった場合に情報を送信することにより、座席の管理を遠隔にいながら容易に行うことができる予約情報送信装置を提供する。【解決手段】座席Ｓの「空席」または「在席」情報を送信する予約情報送信装置１であって、座席Ｓの「空席」または「在席」情報を切り換える切換手段１１と、切換手段１１によって情報が切り換わった場合に、当該情報を送信する送信手送信段１２と、を備えるものである。【選択図】図２
2020177291.tif 000002
【特許請求の範囲】
【請求項１】
座席の「空席」または「在席」情報を送信する予約情報送信装置であって、
座席の「空席」または「在席」情報を切り換える切換手段と、
前記切換手段によって情報が切り換わった場合に、当該情報を送信する送信手段と、を備えることを特徴とする予約情報送信装置。
【請求項２】
物理的に座席の「空席」または「在席」情報を表示する表示手段を備え、
前記切換手段によって「空席」または「在席」情報が切り換わった場合には、前記表示手段の表示する「空席」または「在席」情報も対応して切り換わることを特徴とする請求項１に記載の予約情報送信装置。
【請求項３】
前記予約情報送信装置において、
前記切換手段が操作されることにより発電する発電手段を備え、
前記発電手段から前記送信手段に電力を供給することを特徴とする請求項１または２に記載の予約情報送信装置。
【請求項４】
前記表示手段は、作動部材で構成されており、
前記切換手段は、予約情報送信装置に設けられた被作動部を前記作動部材によって作動させることにより操作されることを特徴とする請求項３に記載の予約情報送信装置。
【請求項５】
前記送信手段及び前記発電手段を格納するケースを備えることを特徴とする請求項４に記載の予約情報送信装置。
【請求項６】
前記発電手段は、電磁誘導式の発電装置であり、前記切換手段が操作されたときに磁束の極性を変更して、電力を発生させることを特徴とする請求項３から５のいずれか一項に記載の予約情報法送信装置。
【請求項７】
前記発電手段は、太陽電池式の発電装置であり、前記切換手段には、磁力センサが設けられており、前記発電手段は、前記磁力センサが磁力を検知した場合に電力を発生させることを特徴とする請求項３から５のいずれか一項に記載の予約情報法送信装置。
【発明の詳細な説明】
【技術分野】
【０００１】
本発明は、予約情報送信装置の技術に関する。
【背景技術】
【０００２】
従来、座席等の空間を予約する際に、予約を入力する者が予約端末を操作して予約管理システムにアクセスすることが公知となっている。そして、予約管理システムにおいては、予約端末から送信された情報に基づいて空席情報が管理される。また、従来技術においては、予約端末から空席のある座席の予約情報を受け付ける予約受付手段と、座席の予約情報に基づいて、座席の空席情報を更新する更新手段とを有する予約管理システムが公知となっている（例えば、特許文献１参照）。
【０００３】
従来技術においては、更新手段によって更新された情報は予約管理システムによって管理される。例えば、飲食店舗において、予約端末は、飲食店舗の店員が操作し、各テーブルの予約情報を送信する。しかし、例えば、複数の飲食店舗が一つの座席スペースを共有するフードコートのような形態では、セルフサービスによる給仕や配席が行われることが通常である。利用者は、座席の予約（確保）を行う場合、各自の所有物などを予約したい座席に配置することで、予約の意思を示すことが多く、その後、給仕などを行う場合には、配置した所有物に目が届かず盗難にあうおそれが有った。また、広い座席スペースにおいては、空席の有無を把握することが困難であり、順番待ちなどによるタイムロスが多いことも問題であった。
【先行技術文献】
【特許文献】
【０００４】
【特許文献１】特許第６４１４９４４号公報
【発明の概要】
【発明が解決しようとする課題】
【０００５】
そこで、本発明は、以上に示したかかる課題に鑑み、座席の「空席」または「在席」情報を切り換える切換手段によって情報が切り換わった場合に情報を送信することにより、座席の管理を遠隔にいながら容易に行うことができる予約情報送信装置を提供することを目的とする。
【課題を解決するための手段】
【０００６】
本発明の解決しようとする課題は以上の如くであり、次にこの課題を解決するための手段を説明する。
【０００７】
即ち、本発明においては、座席の「空席」または「在席」情報を送信する予約情報送信装置であって、
座席の「空席」または「在席」情報を切り換える切換手段と、
前記切換手段によって情報が切り換わった場合に、当該情報を送信する送信手段と、を備えるものである。
【０００８】
また、本発明においては、前記予約情報送信装置において、
物理的に座席の「空席」または「在席」情報を表示する表示手段を備え、
前記切換手段によって「空席」または「在席」情報が切り換わった場合には、前記表示手段の表示する「空席」または「在席」情報も対応して切り換わるものであってもよい。
【０００９】
また、本発明においては、前記切換手段が操作されることにより発電する発電手段を備え、
前記発電手段から前記送信手段に電力を供給するものであってもよい。
【００１０】
また、本発明においては、前記表示手段は、作動部材で構成されており、
前記切換手段は、予約情報送信装置に設けられた被作動部を前記作動部材によって作動させることにより操作されるものであってもよい。
【００１１】
また、本発明においては、前記送信手段及び発電手段を格納するケースを備えるものであってもよい。
【００１２】
また、本発明においては、前記発電手段は、電磁誘導式の発電装置であり、前記切換手段が操作されたときに磁束の極性を変更して、電力を発生させるものであってもよい。
【００１３】
また、本発明においては、前記発電手段は、太陽電池式の発電装置であり、前記切換手段には、磁力センサが設けられており、前記発電手段は、前記磁力センサが磁力を検知した場合に電力を発生させるものであってもよい。
【発明の効果】
【００１４】
本発明の効果として、以下に示すような効果を奏する。
【００１５】
本発明においては、座席の「空席」または「在席」情報を切り換える切換手段によって情報が切り換わった場合に情報を送信することにより、座席の管理を遠隔にいながら容易に行うことができる。また、送信された座席ごとの「空席」または「在席」情報を集積し、一か所で複数の座席の管理を行うことが可能となる。
【図面の簡単な説明】
【００１６】
【図１】本発明の一実施形態に係る予約情報送信装置を示すブロック図。
【図２】同じく予約情報送信装置を示す斜視図。
【図３】同じく座席に配置された予約情報送信装置を示す斜視図。
【図４】同じく予約情報送信装置および予約管理システムを示すブロック図。
【図５】同じく外部出力装置によって出力されるテーブル配置図を示す図。
【図６】別実施形態に係る予約情報送信装置を示す正面図。
【図７】別実施形態に係る予約情報送信装置を示す正面図。
【発明を実施するための形態】
【００１７】
次に、発明の実施の形態を説明する。
【００１８】
＜第一の実施形態に係る予約情報送信装置＞
まず、本発明の一実施形態にかかる装置について図１を用いて説明する。
予約情報送信装置１は、座席Ｓの「空席」または「在席」情報を送信する装置である。座席Ｓとは、利用者が予約した場合に占有することができる空間であればよく、椅子若しくは机を備える構成に限定されるものではない。例えば、複数の使用者が共有する会議ブースや、一時貸しの駐車場等のスペースなどであってもよい。「空席」とは、座席Ｓが予約もしくは利用されていない状態を示すものであり、「在席」とは、座席Ｓが予約もしくは利用されている状態を示すものである。座席Ｓの予約とは、座席Ｓを占有する権利を確保することである。本実施形態においては、座席Ｓの一例として、複数の飲食店舗が一つの座席スペースを共有するフードコートにおける座席を示す。詳細には、座席Ｓは、少なくとも一以上の椅子及び机を備えた占有空間である。予約情報送信装置１は、座席Ｓの机に配置される。
【００１９】
予約情報送信装置１は、座席Ｓの「空席」または「在席」情報を切り換える切換手段１１と、切換手段１１によって情報が切り換わった場合に、当該情報を送信する送信手段１２と、物理的に座席Ｓの「空席」または「在席」情報を表示する表示手段１３と、切換手段１１が操作されることにより発電する発電手段１４と、を備える。
【００２０】
予約情報送信装置１は、座席Ｓの机に配置可能な形状に構成される。図２および図３に示すように、本実施形態においては、座席Ｓに載置する台座２と、台座２の上方に設けられ、切換手段１１、送信手段１２、表示手段１３、および発電手段１４が設けられるケース３とから構成される。このように構成することにより、台座２が設置される面に接触することで予約情報送信装置１は支持される。また、予約情報送信装置１は、可搬性を有し、座席Ｓ内の任意の場所へ移動することが可能となる。
【００２１】
本実施形態においては、台座２とケース３は一体的に設けられているがこれに限定されるものではなく、例えばケースを直方体状に構成し、ケースの下端に台座を別体で取り付ける構成としてもよい。
【００２２】
図２に示すように、切換手段１１は、センサ２１を備えており、センサ２１によって所定の情報が検知された場合に座席Ｓの「空席」または「在席」情報を切り換える。所定の情報とは、「入」情報と、「切」情報を含む情報である。センサ２１によって、「入」情報が検知された場合には、座席Ｓの「空席」または「在席」情報は、「在席」情報に切り換わる。また、センサ２１によって、「切」情報が検知された場合には、座席Ｓの「空席」または「在席」情報は、「空席」情報に切り換わる。本実施形態において、センサ２１は、接触式センサで構成されている。
【００２３】
また、切換手段１１は、センサ２１に検知される所定の情報を変化させる切換器２２を備える。図２及び図３に示すように、本実施形態においては、切換器２２は、作動部材であるカード２３と、被作動部であるカード挿入部２４とから構成される。ここで、作動部材とは、被作動部を作動させて、所定の情報を変化させる部材であり、本実施形態においては、カード２３をカード挿入部２４に挿入することで所定の情報を変化させるものである。なお、作動部材と被作動部の組み合わせは、上記のように所定の情報を変化させることができる組み合わせであれば特に限定するものではない。カード２３は後述する表示手段１３を構成する。カード挿入部２４は、カード２３の少なくとも一部を挿入する部分であり、台座２に設けられる。本実施形態においては、カード挿入部２４は、カード２３を挿入するための凹部で構成されている。カード挿入部２４の構成は、カード２３の少なくとも一部が挿入される部分であればこれに限定するものではなく例えば溝や孔で構成してもよい。カード挿入部２４の幅はカード２３の幅と略同じに設けられており、凹部の深さは、カード２３の上下長さよりも短くなるように構成されている。これにより、カード２３をカード挿入部２４に挿入した場合に、カード２３の一部がカード挿入部２４から上方に突出する。
【００２４】
切換器２２のカード挿入部２４にカード２３を挿入することにより、センサ２１に検知される所定の情報を「入」情報に変化させることができる。また、切換器２２のカード挿入部２４からカード２３を抜くことにより、センサ２１に検知される所定の情報を「切」情報に変化させることができる。
【００２５】
図２に示すように、送信手段１２は、センサ２１によって所定の情報の変化が検知された場合、当該情報を送信する手段であり、制御装置３１と、送信部材３２とを有する。制御装置３１は、小型の演算装置であり、センサ２１と送信部材３２と、接続されている。センサ２１によって所定の情報の変化が検知された場合、制御装置３１は、送信部材３２によって、座席Ｓの「空席」または「在席」情報を送信するように制御する。送信部材３２は、座席Ｓの「空席」または「在席」情報を無線で送信する部材であり、アンテナで構成される。無線で送信する手段としては、電波等の高周波を介した無線送信が採用されている。
【００２６】
表示手段１３は、台座２およびケース３を用いて、物理的に座席Ｓの「空席」または「在席」情報を表示する装置である。本実施形態においては、ケース３に設けられたカード挿入部２４およびカード２３によって構成される。すなわち、図２に示すように、カード挿入部２４にカード２３が挿入されていない状態が、座席Ｓの「空席」情報を表示している状態である。また、図３に示すように、カード挿入部２４にカード２３が挿入された状態において、カード挿入部２４からカード２３の一部が突出する状態が、座席Ｓの「在席」情報を表示している状態である。
【００２７】
発電手段１４は、切換手段１１が操作されることにより発電する手段であり、送信手段１２が情報を送信するときに必要な電力を供給する手段である。発電手段１４は、電磁誘導式のスイッチによって構成される。発電手段１４は、ケース３内に設けられている。切換手段１１の切換器２２が、センサ２１に検知される所定の情報を変化させるとき、すなわちカード挿入部２４にカード２３が挿入されるときに発電手段１４は、電磁誘導により発電する。
【００２８】
また、発電手段１４においては、太陽電池と磁力センサとの組み合わせによって構成することも可能である。発電手段１４は、ケース３の表面に露出した太陽電池と、太陽電池によって発電した電力を蓄える蓄電キャパシタを備える。また、切換手段のセンサ２１を、磁力センサとして構成する。カード２３の挿入側端部に、磁石を設ける。カード２３を、カード挿入部に挿入した際に、センサ２１は磁力の変化を検知して、太陽電池または蓄電キャパシタからの電力を送信手段に供給する。
【００２９】
＜予約管理システム＞
次に、図４を用いて予約情報送信装置１を備えた、予約管理システム５０について説明する。
予約管理システム５０は、予約情報送信装置１と、情報格納装置５１と、情報格納装置５１において格納されたデータを分析し可視化するデータ加工装置５２と、データ加工装置から送信された情報を表示する複数の外部出力装置５３とを備える。
【００３０】
情報格納装置５１は、有形もしくは無形のサーバによって構成されており、各テーブルに配置された予約情報送信装置から送信された座席Ｓの「空席」または「在席」情報を格納する。情報格納装置５１は、例えば、有形のゲートウェイと仮想空間上のクラウドデータサーバとから構成される。前記ゲートウェイは、フードコートの天井等に配置され常時電力が供給されている。データ加工装置５２は、情報格納装置５１と無線によって連携されており、情報格納装置５１から送信されたデータを分析、加工して図や表によって可視化する装置である。本実施形態においては、図５に示すように、データ加工装置５２は、座席Ｓの「空席」または「在席」情報からフードコートにおける座席Ｓの空席状況をテーブル配置図における色彩情報に加工する。例えば、「空席」は青（図５の太い斜線で示した部分）、「在席」は赤（図５の細い斜線で示した部分）で示すことにより情報を可視化する。複数の外部出力装置５３は、データ加工装置５２から送信された図や表を表示する手段であり、例えば、スマートフォンやデジタルサイネージで構成される。
【００３１】
＜予約情報送信装置を用いた座席の予約＞
次に本実施形態に係る予約情報送信装置１を用いた座席Ｓの予約について説明する。
座席Ｓを予約したい者は、まず、所定の場所に配置されているカード２３のうち一つを取得して、予約したい座席Ｓに配置された予約情報送信装置１のカード挿入部２４へカード２３を挿入する。
【００３２】
カード挿入部２４にカード２３が挿入されると、まず発電手段１４によって発電がなされ、送信手段１２へ電力が一時的に供給される。所定の情報が「入」情報となった場合、座席Ｓの「空席」または「在席」情報は、「在席」情報に切り換わる。センサ２１によって所定の情報が「入」情報となったことを検知すると、送信手段１２の制御装置３１は、送信部材３２によって、座席Ｓの「在席」情報を送信するように制御し、送信部材３２は、座席Ｓの「在席」情報を無線で送信する。
各予約情報送信装置１から送信された座席Ｓの「在席」情報は、情報格納装置５１に格納される。情報格納装置５１に格納される情報は座席情報、時刻情報、「空席」または「在席」情報などである。
【００３３】
情報格納装置５１に格納された各種情報は、データ加工装置５２へ無線で送信される。データ加工装置５２は、前記各種情報に基づいて、フードコート内の座席Ｓの混雑状況を可視化するように例えば、テーブル配置図を作成する。外部出力装置５３は、データ加工装置５２から送信されたテーブル配置図を表示する。例えば、フードコート内のデジタルサイネージや、座席Ｓを予約したい者が所持するスマートフォンの画面にデータ加工装置５２からテーブル配置図を送信し表示することができる。
【００３４】
予約情報送信装置１は、配置された座席Ｓにおける「空席」または「在席」情報を物理的に表示することができる。図３に示すように、カード２３がカード挿入部２４に挿入されると、カード２３の一部がケース３から上方に突出する。これにより、座席Ｓの周囲にいる者は、当該座席Ｓが予約されていることを知ることができる。
【００３５】
＜効果＞
本実施形態における予約情報送信装置１は、予約管理システム５０から離れた位置にある座席Ｓの在席状況を簡易に把握することを可能にする。すなわち、予約管理システム５０を管理する店舗側の管理者が、当該座席Ｓおよび当該座席Ｓを予約したい者から離れた位置にいる場合であっても、混雑状況を簡易に把握することができる。また、管理者は、予約管理システム５０のデータ加工装置５２を用いて、時間帯別の座席Ｓの利用状況を分析することができる。
【００３６】
例えば、複数のカード２３を管理者から離れた場所に載置する。管理者から離れた場所の一例としては、フードコートの給水所や入口が挙げられる。座席Ｓを予約したい者は、当該場所に載置されたカード２３を取得して、空席を探す。空席が見つかった場合、空席におかれた予約情報送信装置１のカード挿入部２４にカード２３を挿入する。これにより、管理者が、離れた位置にいる場合であっても、混雑状況を簡易に把握することができる。
【００３７】
座席Ｓを予約したい者は、カード２３をカード挿入部２４に挿入した時点で予約が完了するので、座席Ｓを離れて店舗へ移動し商品を購入することができる。これにより、荷物を座席Ｓにおいて座席Ｓを確保する必要が無く、所有物に目が届かず盗難にあうおそれがなくなる。
【００３８】
また、カード２３の色を複数用意する構成とし、及びカード２３の一部に文字もしくは数字を記載したものを複数用意する構成としてもよい。このように構成することにより、表示手段１３としてのカード２３の一部に書かれた文字、数字及び色によって、当該表示手段１３を見た者は、予約された座席Ｓを識別しやすくなる。また、カード２３の一部に書かれた文字を広告情報で構成した場合には、当該表示手段１３を見た者は、予約された座席Ｓを識別するときに、同時に広告情報を視認することができる。
【００３９】
また、座席Ｓを利用したい者は、所持するスマートフォンにデータ加工装置５２からテーブル配置図が送信されて表示されることにより、フードコートから離れた位置にいた場合であっても、フードコートの混雑状況を把握することができる。
【００４０】
また、管理者側は、予約情報送信装置１から送信された情報をデータ加工装置５２において解析することにより、時間別や日・月別の座席利用状況を分析することができる。
【００４１】
以上のように本実施形態に係る予約情報送信装置は、座席Ｓの「空席」または「在席」情報を送信する予約情報送信装置１であって、座席Ｓの「空席」または「在席」情報を切り換える切換手段１１と、切換手段１１によって情報が切り換わった場合に、当該情報を送信する送信手段１２と、を備えるものである。
このように構成することにより、座席Ｓを予約したい者は、空席が見つかった場合、自身で座席Ｓにおいて予約をすることが可能となる。また、予約管理システム５０を管理する店舗側の管理者が、当該座席Ｓおよび当該座席Ｓを予約したい者から離れた位置にいる場合であっても、混雑状況や時間帯別の利用状況を簡易に把握することができる。
【００４２】
また、予約情報送信装置１において、物理的に座席Ｓの「空席」または「在席」情報を表示する表示手段１３を備え、切換手段１１によって「空席」または「在席」情報が切り換わった場合には、表示手段１３の表示する「空席」または「在席」情報も対応して切り換わるものであってもよい。
このように構成することにより、座席Ｓを予約したい者が、切換手段１１によって「空席」または「在席」情報が切り換える動作を行うと同時に、表示手段１３によって、「空席」または「在席」情報も対応させた表示が行われる。座席Ｓの近傍にいる者は、表示手段１３によって予約した座席Ｓの「空席」または「在席」を識別することができる。
【００４３】
また、表示手段１３は、作動部材であるカード２３で構成されており、切換手段１１は、予約情報送信装置１に設けられた被作動部であるカード挿入部２４へカード２３を挿入することで作動させることにより操作されるものであってもよい。
このように構成することにより、簡易な構成で、物理的に座席Ｓの「空席」または「在席」情報を表示することができる。
【００４４】
また、送信手段１２及び発電手段１４を格納するケース３を備えるものであってもよい。このように構成することにより、ケース３内の防水、防汚効果を得ることができ、予約情報送信装置の長寿命化を図ることができる。
【００４５】
また、発電手段１４は、電磁誘導式の発電装置であり、切換手段１１が操作されたときに磁束の極性を変更して、電力を発生させるものであってもよい。このように構成することにより、外部からの電源を設けることなく、送信手段１２が情報を送信するときに必要な電力を供給することができる。
【００４６】
また、発電手段１４は、太陽電池式の発電装置であり、切換手段１１には、センサ２１として磁力センサが設けられており、発電手段１４は、センサ２１が磁力を検知した場合に電力を発生させるものであってもよい。このように構成することにより、外部からの電源を設けることなく、送信手段１２が情報を送信するときに必要な電力を供給することができる。
【００４７】
＜第二の実施形態に係る予約情報発信装置＞
予約情報送信装置１は、図６に示す予約情報送信装置６１のように構成することもできる。予約情報送信装置６１は、切換器２２の代わりに切換器６２を有している点で予約情報送信装置１と異なっている。予約情報送信装置６１における予約情報送信装置１と同様の構成については、同じ符号を付して説明を省略する。
【００４８】
切換器６２は、旗６３と、旗挿入部６４とにより構成される。旗６３は棒状の挿入部分と三角形状の旗部分を有する。旗挿入部６４は、旗６３を挿入するための凹部で構成されている。旗挿入部６４は旗６３の棒状部分の断面と略同じ形状に設けられており、凹部の深さは、旗６３の棒状部分の上下長さよりも短くなるように構成されている。これにより、旗６３を旗挿入部６４に挿入した場合に、旗６３の旗部分が旗挿入部６４から上方に突出する。
【００４９】
切換器６２の旗挿入部６４に旗６３を挿入することにより、センサ２１に検知される所定の情報を「入」情報に変化させることができる。また、切換器６２の旗挿入部６４から旗６３を抜くことにより、センサ２１に検知される所定の情報を「切」情報に変化させることができる。
【００５０】
表示手段１３は、台座２およびケース３を用いて、物理的に座席Ｓの「空席」または「在席」情報を表示する装置である。本実施形態においては、ケース３に設けられた旗挿入部６４および旗６３によって構成される。すなわち、旗挿入部６４に旗６３が挿入されていない状態が、座席Ｓの「空席」情報を表示している状態である。また、図６に示すように、旗挿入部６４に旗６３が挿入された状態において、旗挿入部６４から旗６３の旗部分が突出する状態が、座席Ｓの「在席」情報を表示している状態である。
【００５１】
つまり、本実施形態においては、切換器６２を、旗６３と、旗挿入部６４とにより構成することで、物理的に座席Ｓの「空席」または「在席」情報を表示する表示手段１３として機能する。また、旗６３の旗部分の色、及び旗６３に書かれた数字を複数用意する構成としてもよい。このように構成することにより、表示手段１３としての旗６３の旗部分に書かれた数字及び色によって予約した座席Ｓを識別しやすくなる。
【００５２】
＜第三の実施形態に係る予約情報送信装置＞
予約情報送信装置１は、図７に示す予約情報送信装置７１のように構成することもできる。予約情報送信装置７１は、切換手段１１および表示手段１３として可動板７２を有している点で予約情報送信装置１と異なっている。予約情報送信装置７１における予約情報送信装置１と同様の構成については、同じ符号を付して説明を省略する。
【００５３】
可動板７２は、切換手段１１および表示手段１３を兼ねる部材である。可動板７２は、回動軸７２ａを中心として回動可能に構成されている。またケース３には、センサ２１が設けられており、可動板７２が、ケース３側へ回動することにより、センサ２１に検知される所定の情報を「入」情報に変化させることができる。また、可動板７２が、ケース３に対して垂直になるように回動することにより、センサ２１に検知される所定の情報を「入」情報に変化させることができる。
【００５４】
表示手段１３は、可動板７２を用いて、物理的に座席Ｓの「空席」または「在席」情報を表示する装置である。すなわち、可動板７２が、ケース３側へ回動した状態が、座席Ｓの「空席」情報を表示している状態である。また、図７に示すように、可動板７２が、ケース３に対して垂直になるように回動した状態が、座席Ｓの「在席」情報を表示している状態である。
【００５５】
つまり、本実施形態においては、可動板７２を設けることで、物理的に座席Ｓの「空席」または「在席」情報を表示する表示手段１３として機能する。このように構成することにより、可動板７２、台座２、およびケース３を一つのユニットとして設けることが可能となる。
【符号の説明】
【００５６】
１    予約情報送信装置
２    台座
３    ケース
１１    切換手段
１２    送信手段
１３    表示手段
１４    発電手段
２１    センサ
２２    切換器
２３    カード（作動部材）
２４    カード挿入部（被作動部）
５０    座席予約システム
５１    情報格納装置
５２    データ加工装置
５３    外部出力装置
【図１】
2020177291.tif 000003
【図２】
2020177291.tif 000004
【図３】
2020177291.tif 000005
【図４】
2020177291.tif 000006
【図５】
2020177291.tif 000007
【図６】
2020177291.tif 000008
【図７】
2020177291.tif 000009